(57)【要約】【課題】災害時等の停電時においても、十分な処理水を得ることができる膜ろ過システムを提供する。【解決手段】被処理水槽１０と、被処理水槽１０の水位レベルよりも下になるように配置された処理水槽１４と、被処理水槽１０と処理水槽１４との間に配置された膜ろ過装置１２と、被処理水槽１０と膜ろ過装置１２との間、または膜ろ過装置１２と処理水槽１４との間に設置された水力発電装置３０と、膜ろ過装置１２に被処理水または処理水を供給するためのポンプ、例えば逆洗ポンプ２８と、水力発電装置３０で発電された電気を蓄電するための二次電池３２と、二次電池３２に蓄電された電気を例えば逆洗ポンプ２８に供給するための給電装置３４と、を備え、水力発電装置３０で発電された電気が二次電池３２に蓄電されながら膜ろ過処理が行われ、蓄電された電気が給電装置３４によって供給されて例えば逆洗ポンプ２８が駆動される、膜ろ過システム１である。【選択図】図１
2020195950.tif 000002
【特許請求の範囲】
【請求項１】
被処理水を膜ろ過装置によって膜ろ過処理して処理水を得る膜ろ過システムであって、
前記被処理水を貯留する被処理水槽と、
前記被処理水槽の水位レベルよりも下になるように配置された、前記処理水を貯留する処理水槽と、
前記被処理水槽と前記処理水槽との間に配置された前記膜ろ過装置と、
前記被処理水槽と前記膜ろ過装置との間、または前記膜ろ過装置と前記処理水槽との間に設置された水力発電装置と、
前記膜ろ過装置に前記被処理水または前記処理水を供給するためのポンプと、
前記水力発電装置で発電された電気を蓄電するための二次電池と、
前記二次電池に蓄電された電気を前記ポンプに供給するための給電装置と、
を備え、
前記水力発電装置で発電された電気が前記二次電池に蓄電されながら前記膜ろ過装置によって膜ろ過処理が行われ、前記蓄電された電気が前記給電装置によって供給されて前記ポンプが駆動されることを特徴とする膜ろ過システム。
【請求項２】
請求項１に記載の膜ろ過システムであって、
前記水力発電装置は、前記被処理水槽と前記膜ろ過装置との間に設置され、
前記膜ろ過装置において、膜の一次側に接続された排水ラインから被処理水が排出されながら、クロスフローろ過および前記蓄電が行われることを特徴とする膜ろ過システム。
【請求項３】
被処理水を膜ろ過装置によって膜ろ過処理して処理水を得る膜ろ過システムの運転方法であって、
前記被処理水を貯留する被処理水槽と、
前記被処理水槽の水位レベルよりも下になるように配置された、前記処理水を貯留する処理水槽と、
前記被処理水槽と前記処理水槽との間に配置された前記膜ろ過装置と、
前記被処理水槽と前記膜ろ過装置との間、または前記膜ろ過装置と前記処理水槽との間に設置された水力発電装置と、
前記膜ろ過装置に前記被処理水または前記処理水を供給するためのポンプと、
前記水力発電装置で発電された電気を蓄電するための二次電池と、
前記二次電池に蓄電された電気を前記ポンプに供給するための給電装置と、
を備える膜ろ過システムにおいて、
前記水力発電装置で発電した電気を前記二次電池に蓄電しながら前記膜ろ過装置によって膜ろ過処理を行い、前記蓄電した電気を前記給電装置によって供給して前記ポンプを駆動することを特徴とする膜ろ過システムの運転方法。
【請求項４】
請求項３に記載の膜ろ過システムの運転方法であって、
前記水力発電装置は、前記被処理水槽と前記膜ろ過装置との間に設置され、
前記膜ろ過装置において、膜の一次側に接続された排水ラインから被処理水を排出しながら、クロスフローろ過および前記蓄電を行うことを特徴とする膜ろ過システムの運転方法。
【請求項５】
被処理水を膜ろ過装置によって膜ろ過処理して処理水を得る膜ろ過システムにおける前記膜ろ過装置に前記被処理水または前記処理水を供給するためのポンプに電気を供給する、膜ろ過システムへの電気供給装置であって、
前記膜ろ過装置は、前記被処理水を貯留する被処理水槽と、前記被処理水槽の水位レベルよりも下になるように配置された、前記処理水を貯留する処理水槽と、の間に配置され、
前記被処理水槽と前記膜ろ過装置との間、または前記膜ろ過装置と前記処理水槽との間に設置された水力発電装置と、
前記水力発電装置で発電された電気を蓄電するための二次電池と、
前記二次電池に蓄電された電気を前記ポンプに供給するための給電装置と、
を備え、
前記水力発電装置で発電された電気が前記二次電池に蓄電されながら前記膜ろ過装置によって膜ろ過処理が行われ、前記蓄電された電気が前記給電装置によって供給されて前記ポンプが駆動されることを特徴とする、膜ろ過システムへの電気供給装置。
【請求項６】
請求項５に記載の膜ろ過システムへの電気供給装置であって、
前記水力発電装置は、前記被処理水槽と前記膜ろ過装置との間に設置され、
前記膜ろ過装置において、膜の一次側に接続された排水ラインから被処理水が排出されながら、クロスフローろ過および前記蓄電が行われることを特徴とする、膜ろ過システムへの電気供給装置。
【請求項７】
被処理水を膜ろ過装置によって膜ろ過処理して処理水を得る膜ろ過システムにおける前記膜ろ過装置に前記被処理水または前記処理水を供給するためのポンプに電気を供給する、膜ろ過システムへの電気供給方法であって、
前記膜ろ過装置は、前記被処理水を貯留する被処理水槽と、前記被処理水槽の水位レベルよりも下になるように配置された、前記処理水を貯留する処理水槽と、の間に配置され、
前記被処理水槽と前記膜ろ過装置との間、または前記膜ろ過装置と前記処理水槽との間に設置された水力発電装置と、
前記二次電池に蓄電された電気を前記ポンプに供給するための給電装置と、
を備える電気供給装置を用い、
前記水力発電装置で発電した電気を前記二次電池に蓄電しながら前記膜ろ過装置によって膜ろ過処理を行い、前記蓄電した電気を前記給電装置によって供給して前記ポンプを駆動することを特徴とする、膜ろ過システムへの電気供給方法。
【請求項８】
請求項７に記載の電気供給方法であって、
前記水力発電装置は、前記被処理水槽と前記膜ろ過装置との間に設置され、
前記膜ろ過装置において、膜の一次側に接続された排水ラインから被処理水を排出しながら、クロスフローろ過および前記蓄電を行うことを特徴とする、膜ろ過システムへの電気供給方法。
【発明の詳細な説明】
【技術分野】
【０００１】
本発明は、膜ろ過システム、膜ろ過システムの運転方法、その膜ろ過システムへの電気供給装置および電気供給方法に関する。
【背景技術】
【０００２】
浄水場等の水処理において、膜ろ過処理が行われることがある。膜ろ過処理としては、水頭差利用型の膜ろ過装置が知られている（例えば、特許文献１参照）。水頭差利用型の膜ろ過装置では、膜ろ過ポンプの動力コストを低減することができる。
【０００３】
特許文献１に記載の膜ろ過装置では、水頭差を利用して膜ろ過処理を行うことができても、逆洗にはポンプが必要である。これによって、受電設備が必要となり、災害時等の停電時には逆洗を行うことができず、十分な処理水が得られなくなることがある。
【先行技術文献】
【特許文献】
【０００４】
【特許文献１】特開２００２−００１３３０号公報
【発明の概要】
【発明が解決しようとする課題】
【０００５】
本発明の目的は、災害時等の停電時においても、十分な処理水を得ることができる膜ろ過システム、膜ろ過システムの運転方法、その膜ろ過システムへの電気供給装置および電気供給方法を提供することにある。
【課題を解決するための手段】
【０００６】
本発明は、被処理水を膜ろ過装置によって膜ろ過処理して処理水を得る膜ろ過システムであって、前記被処理水を貯留する被処理水槽と、前記被処理水槽の水位レベルよりも下になるように配置された、前記処理水を貯留する処理水槽と、前記被処理水槽と前記処理水槽との間に配置された前記膜ろ過装置と、前記被処理水槽と前記膜ろ過装置との間、または前記膜ろ過装置と前記処理水槽との間に設置された水力発電装置と、前記膜ろ過装置に前記被処理水または前記処理水を供給するためのポンプと、前記水力発電装置で発電された電気を蓄電するための二次電池と、前記二次電池に蓄電された電気を前記ポンプに供給するための給電装置と、を備え、前記水力発電装置で発電された電気が前記二次電池に蓄電されながら前記膜ろ過装置によって膜ろ過処理が行われ、前記蓄電された電気が前記給電装置によって供給されて前記ポンプが駆動される、膜ろ過システムである。
【０００７】
前記膜ろ過システムにおいて、前記水力発電装置は、前記被処理水槽と前記膜ろ過装置との間に設置され、前記膜ろ過装置において、膜の一次側に接続された排水ラインから被処理水が排出されながら、クロスフローろ過および前記蓄電が行われることが好ましい。
【０００８】
本発明は、被処理水を膜ろ過装置によって膜ろ過処理して処理水を得る膜ろ過システムの運転方法であって、前記被処理水を貯留する被処理水槽と、前記被処理水槽の水位レベルよりも下になるように配置された、前記処理水を貯留する処理水槽と、前記被処理水槽と前記処理水槽との間に配置された前記膜ろ過装置と、前記被処理水槽と前記膜ろ過装置との間、または前記膜ろ過装置と前記処理水槽との間に設置された水力発電装置と、前記膜ろ過装置に前記被処理水または前記処理水を供給するためのポンプと、前記水力発電装置で発電された電気を蓄電するための二次電池と、前記二次電池に蓄電された電気を前記ポンプに供給するための給電装置と、を備える膜ろ過システムにおいて、前記水力発電装置で発電した電気を前記二次電池に蓄電しながら前記膜ろ過装置によって膜ろ過処理を行い、前記蓄電した電気を前記給電装置によって供給して前記ポンプを駆動する、膜ろ過システムの運転方法である。
【０００９】
前記膜ろ過システムの運転方法において、前記水力発電装置は、前記被処理水槽と前記膜ろ過装置との間に設置され、前記膜ろ過装置において、膜の一次側に接続された排水ラインから被処理水を排出しながら、クロスフローろ過および前記蓄電を行うことが好ましい。
【００１０】
本発明は、被処理水を膜ろ過装置によって膜ろ過処理して処理水を得る膜ろ過システムにおける前記膜ろ過装置に前記被処理水または前記処理水を供給するためのポンプに電気を供給する、膜ろ過システムへの電気供給装置であって、前記膜ろ過装置は、前記被処理水を貯留する被処理水槽と、前記被処理水槽の水位レベルよりも下になるように配置された、前記処理水を貯留する処理水槽と、の間に配置され、前記被処理水槽と前記膜ろ過装置との間、または前記膜ろ過装置と前記処理水槽との間に設置された水力発電装置と、前記水力発電装置で発電された電気を蓄電するための二次電池と、前記二次電池に蓄電された電気を前記ポンプに供給するための給電装置と、を備え、前記水力発電装置で発電された電気が前記二次電池に蓄電されながら前記膜ろ過装置によって膜ろ過処理が行われ、前記蓄電された電気が前記給電装置によって供給されて前記ポンプが駆動される、膜ろ過システムへの電気供給装置である。
【００１１】
前記膜ろ過システムへの電気供給装置において、前記水力発電装置は、前記被処理水槽と前記膜ろ過装置との間に設置され、前記膜ろ過装置において、膜の一次側に接続された排水ラインから被処理水が排出されながら、クロスフローろ過および前記蓄電が行われることが好ましい。
【００１２】
本発明は、被処理水を膜ろ過装置によって膜ろ過処理して処理水を得る膜ろ過システムにおける前記膜ろ過装置に前記被処理水または前記処理水を供給するためのポンプに電気を供給する、膜ろ過システムへの電気供給方法であって、前記膜ろ過装置は、前記被処理水を貯留する被処理水槽と、前記被処理水槽の水位レベルよりも下になるように配置された、前記処理水を貯留する処理水槽と、の間に配置され、前記被処理水槽と前記膜ろ過装置との間、または前記膜ろ過装置と前記処理水槽との間に設置された水力発電装置と、前記二次電池に蓄電された電気を前記ポンプに供給するための給電装置と、を備える電気供給装置を用い、前記水力発電装置で発電した電気を前記二次電池に蓄電しながら前記膜ろ過装置によって膜ろ過処理を行い、前記蓄電した電気を前記給電装置によって供給して前記ポンプを駆動する、膜ろ過システムへの電気供給方法である。
【００１３】
前記電気供給方法であって、前記水力発電装置は、前記被処理水槽と前記膜ろ過装置との間に設置され、前記膜ろ過装置において、膜の一次側に接続された排水ラインから被処理水を排出しながら、クロスフローろ過および前記蓄電を行うことが好ましい。
【発明の効果】
【００１４】
本発明の目的は、災害時等の停電時においても、十分な処理水を得ることができる膜ろ過システム、膜ろ過システムの運転方法、その膜ろ過システムへの電気供給装置および電気供給方法を提供することにある。
【図面の簡単な説明】
【００１５】
【図１】本発明の実施形態に係る膜ろ過システムの一例を示す概略構成図である。
【図２】本発明の実施形態に係る膜ろ過システムの他の例を示す概略構成図である。
【図３】本発明の実施形態に係る膜ろ過システムの他の例を示す概略構成図である。
【図４】本発明の実施形態に係る膜ろ過システムの他の例を示す概略構成図である。
【発明を実施するための形態】
【００１６】
本発明の実施の形態について以下説明する。本実施形態は本発明を実施する一例であって、本発明は本実施形態に限定されるものではない。
【００１７】
本発明の実施形態に係る膜ろ過システムの一例の概略を図１に示し、その構成について説明する。
【００１８】
図１の膜ろ過システム１は、被処理水を膜ろ過装置によって膜ろ過処理して処理水を得るシステムである。膜ろ過システム１は、被処理水を貯留する被処理水槽１０と、被処理水槽の水位レベルよりも下になるように配置された、処理水を貯留する処理水槽１４と、被処理水槽１０と処理水槽１４との間に配置された膜ろ過装置１２と、被処理水槽１０と膜ろ過装置１２との間に設置された水力発電装置３０と、膜ろ過装置１２に処理水を供給するためのポンプである逆洗ポンプ２８と、水力発電装置３０で発電された電気を蓄電するための二次電池３２と、二次電池３２に蓄電された電気を逆洗ポンプ２８に供給するための給電装置３４と、を備える。
【００１９】
図１の膜ろ過システム１において、被処理水槽１０の入口には、被処理水配管１６が接続されている。被処理水槽１０の出口と膜ろ過装置１２の入口とは、被処理水配管１８により接続されている。膜ろ過装置１２の出口と処理水槽１４の入口とは、処理水配管２０により接続されている。処理水槽１４の処理水出口には、処理水配管２２が接続されている。処理水槽１４の逆洗水出口と処理水配管２０の途中とは、逆洗ポンプ２８を介して逆洗水配管２４により接続されている。膜ろ過装置１２の一次側の逆洗排水出口には、配管２６が接続されている。被処理水槽１０と膜ろ過装置１２との間の被処理水配管１８には、水力発電装置３０が設置され、水力発電装置３０と二次電池３２、二次電池３２と給電装置３４、給電装置３４と逆洗ポンプ２８が電気的接続等により接続されている。
【００２０】
本実施形態に係る膜ろ過システムの運転方法および膜ろ過システム１の動作について説明する。
【００２１】
被処理水は、被処理水配管１６を通して被処理水槽１０に送液され、貯留された後、水頭差によって被処理水配管１８を通して膜ろ過装置１２へ送液される。膜ろ過装置１２において、膜を用いて被処理水が膜ろ過処理される（膜ろ過工程）。被処理水は、膜の一次側から二次側へと通液され、被処理水に含まれる懸濁物質等がろ過される。膜ろ過処理された処理水は、処理水配管２０を通して処理水槽１４に送液され、貯留される。処理水の一部は、処理水配管２２を通して排出される。
【００２２】
膜ろ過処理の進行に伴い、膜の表面には懸濁物質等が堆積し、ろ過抵抗が発生する場合がある。膜ろ過装置１２の膜の洗浄が必要になった場合、膜の洗浄が行われる。例えば、処理水の少なくとも一部は、逆洗水として、処理水槽１４から逆洗ポンプ２８によって逆洗水配管２４、処理水配管２０を通して膜ろ過装置１２の二次側から導入され、一次側から排出されて、膜ろ過装置１２の逆洗が行われる（逆洗工程）。逆洗排水は、逆洗排水出口より配管２６を通して排出される。この場合、逆洗ポンプ２８、逆洗水配管２４、処理水配管２０等が洗浄手段（逆洗手段）として機能することになる。
【００２３】
図１の膜ろ過システム１では、水力発電装置３０を膜ろ過装置１２の前段に設け、水力発電装置３０で発電された電気が二次電池３２に蓄電されながら膜ろ過装置１２によって膜ろ過処理が行われ、二次電池３２に蓄電された電気が給電装置３４によって供給されて逆洗ポンプ２８が駆動され、逆洗工程が行われる。すなわち、水力発電装置３０と、二次電池３２と、給電装置３４とが膜ろ過システム１の膜ろ過装置１２への電気供給装置として機能することになる。本構成によって、災害時等の停電時においても、十分な処理水を得ることができる。受電設備を備えなくても、逆洗を行うことができ、十分な電気設備のない地域、国等でも膜ろ過システムを導入することができる。災害時対策が強固な膜ろ過システムとすることができる。
【００２４】
例えば、水力発電装置による水力発電において、流速０．３ｍ３／ｓ、有効水頭差１．５ｍ（実際の水頭差として例えば１０ｍ以上）、発電量１．５ｋＷで、ろ過工程（蓄電）を６０分間行った場合、発電量は１．５ｋＷ・ｈとなる。一方、使用電力１８．５ｋＷの逆洗ポンプを２台使用し、逆洗工程を１分間／回行うと、逆洗ポンプの使用電力は、１８．５ｋＷ×２台×１／６０＝０．６１ｋＷ・ｈとなる。発電量１．５ｋＷ・ｈは、逆洗ポンプの使用電力０．６１ｋＷ・ｈより大きいため、逆洗工程を水力発電装置による蓄電で十分に行うことができる。
【００２５】
処理対象である被処理水は、例えば、懸濁物質等を含む水であり、例えば、河川水、工業用水、排水等が挙げられる。
【００２６】
膜ろ過工程で用いられる膜は、被処理水中の懸濁物質等をろ過することができるものであればよく、特に制限はないが、例えば、限外ろ過膜（ＵＦ膜）、精密ろ過膜（ＭＦ膜）等が挙げられる。限外ろ過膜の公称孔径は、０．０１μｍ以上、０．１μｍ未満であり、精密ろ過膜の孔径は、０．１μｍ以上、０．３μｍ以下である。
【００２７】
膜としては、例えば、セラミック製等の無機膜、ポリフッ化ビニリデン（ＰＶＤＦ）製、ポリエーテルサルフォン（ＰＥＳ）製、ポリテトラフルオロエチレン（ＰＴＦＥ）製、酢酸セルロース（ＣＡ）製、ポリエチレン（ＰＥ）製等の有機膜等が挙げられる。膜は有機膜、無機膜のどちらでもよいが、透水性の高い無機膜を利用することで水頭差をより有効に利用することができるため、無機膜が好ましい。
【００２８】
膜ろ過装置１２は、例えば、モジュール型の膜ろ過装置であり、円筒状等の筒状の容器（ケーシング）に密閉されたろ過膜を有する加圧型の膜ろ過装置である。ろ過膜の形態としては、チューブラ膜、中空糸膜等が挙げられ、中空糸膜が好ましい。ろ過膜の通液方式は、内圧式、外圧式いずれの方式でもよいが、外圧式が好ましい。膜ろ過装置１２における通液方向は、通常は、上向流であるが、下向流であってもよい。膜ろ過装置１２としては、浸漬型の平膜を用いてもよい。膜ろ過装置１２は、被処理水槽１０の水位レベルよりも下になるように配置されることが好ましい。
【００２９】
水力発電装置３０は、水が高所から低所へ流れる位置エネルギーを利用して、発電を行う装置であり、水力で水車を回し、それによる動力で発電機を回して電気エネルギーを得る装置である。水力発電装置３０としては、公知の構成の装置を使用すればよい。
【００３０】
二次電池３２は、水力発電装置３０で発電された電気を蓄電するための電池であり、公知の構成の電池を使用すればよい。
【００３１】
給電装置３４は、二次電池３２に蓄電された電気を逆洗ポンプ２８とのポンプに供給する装置であり、公知の構成の装置を使用すればよい。
【００３２】
図１の膜ろ過システム１において、膜が閉塞してくると蓄電量が足りなくなる場合がある。この場合、膜ろ過装置１２において、膜の一次側に接続された排水ラインである配管２６から被処理水がブロー水として排出されながら、クロスフローろ過および蓄電が行われてもよい。これによって、膜の一次側にせん断力が働き、膜の閉塞が回復するとともに、ろ過のみの水量からろ過とブロー水量との水量へ増大するために、水力発電装置３０による二次電池３２への蓄電量が増加する。ダムの近郊や河川水を被処理水とするような水が多い場所では、常時クロスフローろ過を行ってもよい。
【００３３】
二次電池３２は充放電を繰り返すことで劣化することがあるため、逆洗は、例えば、１〜２４時間に１回行われ、１２時間〜２４時間に１回行われればよい。
【００３４】
水力発電装置３０は、膜ろ過装置１２と処理水槽１４との間に設置されていてもよい。このような構成の例を図２に示す。
【００３５】
図２の膜ろ過システム２は、被処理水を貯留する被処理水槽１０と、被処理水槽の水位レベルよりも下になるように配置された、処理水を貯留する処理水槽１４と、被処理水槽１０と処理水槽１４との間に配置された膜ろ過装置１２と、膜ろ過装置１２と処理水槽１４との間に設置された水力発電装置３０と、膜ろ過装置１２に処理水を供給するためのポンプである逆洗ポンプ２８と、水力発電装置３０で発電された電気を蓄電するための二次電池３２と、二次電池３２に蓄電された電気を逆洗ポンプ２８に供給するための給電装置３４と、を備える。
【００３６】
図２の膜ろ過システム２において、膜ろ過装置１２と処理水槽１４との間の処理水配管２０には、水力発電装置３０が設置され、水力発電装置３０と二次電池３２、二次電池３２と給電装置３４、給電装置３４と逆洗ポンプ２８が電気的接続等により接続されている。
【００３７】
図２の膜ろ過システム２では、水力発電装置３０を膜ろ過装置１２の後段に設け、水力発電装置３０で発電された電気が二次電池３２に蓄電されながら膜ろ過装置１２によって膜ろ過処理が行われ、二次電池３２に蓄電された電気が給電装置３４によって供給されて逆洗ポンプ２８が駆動され、逆洗工程が行われる。本構成によって、災害時等の停電時においても、十分な処理水を得ることができる。
【００３８】
膜ろ過装置において、浸漬型の平膜を用いる場合の構成の例を図３に示す。
【００３９】
図３の膜ろ過システム３は、被処理水を貯留する被処理水槽１０と、被処理水槽の水位レベルよりも下になるように配置された、処理水を貯留する処理水槽１４と、被処理水槽１０と処理水槽１４との間に配置された膜ろ過装置１２と、被処理水槽１０と膜ろ過装置１２との間に設置された水力発電装置３０と、膜ろ過装置１２に処理水を供給するためのポンプである逆洗ポンプ２８と、水力発電装置３０で発電された電気を蓄電するための二次電池３２と、二次電池３２に蓄電された電気を逆洗ポンプ２８に供給するための給電装置３４と、を備える。膜ろ過装置１２は、浸漬槽３６と浸漬膜３８とを備える。
【００４０】
図３の膜ろ過システム３において、被処理水槽１０の入口には、被処理水配管１６が接続されている。被処理水槽１０の出口と膜ろ過装置１２の浸漬槽３６の入口とは、被処理水配管１８により接続されている。浸漬槽３６には浸漬膜３８が設置されており、浸漬膜３８の二次側と処理水槽１４の入口とは、吸引ポンプ４０を介して処理水配管２０により接続されている。処理水槽１４の処理水出口には、処理水配管２２が接続されている。処理水槽１４の逆洗水出口と処理水配管２０における吸引ポンプ４０の上流側とは、逆洗ポンプ２８を介して逆洗水配管２４により接続されている。被処理水槽１０と膜ろ過装置１２との間の被処理水配管１８には、水力発電装置３０が設置され、水力発電装置３０と二次電池３２、二次電池３２と給電装置３４、給電装置３４と逆洗ポンプ２８、吸引ポンプ４０が電気的接続等により接続されている。
【００４１】
被処理水は、被処理水配管１６を通して被処理水槽１０に送液され、貯留された後、被処理水配管１８を通して膜ろ過装置１２の浸漬槽３６へ送液される。膜ろ過装置１２において、浸漬膜３８を用いて被処理水が膜ろ過処理される（膜ろ過工程）。被処理水は、吸引ポンプ４０によって浸漬膜３８の一次側から二次側へと吸引、通液されて膜ろ過が開始され、被処理水に含まれる懸濁物質等がろ過される。膜ろ過が開始されたら、吸引ポンプ４０の駆動が停止され、水頭差によるサイフォンの原理により膜ろ過が行われる。膜ろ過処理された処理水は、処理水配管２０を通して処理水槽１４に送液され、貯留される。処理水の一部は、処理水配管２２を通して排出される。
【００４２】
膜ろ過処理の進行に伴い、浸漬膜３８の表面には懸濁物質等が堆積し、ろ過抵抗が発生する場合がある。浸漬膜３８の洗浄が必要になった場合、膜の洗浄が行われる。例えば、処理水の少なくとも一部は、逆洗水として、処理水槽１４から逆洗ポンプ２８によって逆洗水配管２４、処理水配管２０を通して浸漬膜３８の二次側から導入され、一次側から排出されて、浸漬膜３８の逆洗が行われる（逆洗工程）。この場合、逆洗ポンプ２８、逆洗水配管２４、処理水配管２０等が洗浄手段（逆洗手段）として機能することになる。
【００４３】
図３の膜ろ過システム３では、水力発電装置３０を膜ろ過装置１２の前段に設け、水力発電装置３０で発電された電気が二次電池３２に蓄電されながら膜ろ過装置１２によって膜ろ過処理が行われ、二次電池３２に蓄電された電気が給電装置３４によって供給されて吸引ポンプ４０が駆動され、膜ろ過工程が行われる。また、二次電池３２に蓄電された電気が給電装置３４によって供給されて逆洗ポンプ２８が駆動され、逆洗工程が行われる。本構成によって、災害時等の停電時においても、十分な処理水を得ることができる。
【００４４】
図３の膜ろ過システム３において、水力発電装置３０は、膜ろ過装置１２と処理水槽１４との間に設置されていてもよい。このような構成の例を図４に示す。
【００４５】
図４の膜ろ過システム４は、被処理水を貯留する被処理水槽１０と、被処理水槽の水位レベルよりも下になるように配置された、処理水を貯留する処理水槽１４と、被処理水槽１０と処理水槽１４との間に配置された膜ろ過装置１２と、膜ろ過装置１２と処理水槽１４との間に設置された水力発電装置３０と、膜ろ過装置１２に処理水を供給するためのポンプである逆洗ポンプ２８と、水力発電装置３０で発電された電気を蓄電するための二次電池３２と、二次電池３２に蓄電された電気を逆洗ポンプ２８に供給するための給電装置３４と、を備える。膜ろ過装置１２は、浸漬槽３６と浸漬膜３８とを備える。
【００４６】
図４の膜ろ過システム４において、膜ろ過装置１２と処理水槽１４との間の処理水配管２０には、水力発電装置３０が設置され、水力発電装置３０と二次電池３２、二次電池３２と給電装置３４、給電装置３４と逆洗ポンプ２８、吸引ポンプ４０が電気的接続等により接続されている。
【００４７】
図４の膜ろ過システム４では、水力発電装置３０を膜ろ過装置１２の後段に設け、水力発電装置３０で発電された電気が二次電池３２に蓄電されながら膜ろ過装置１２によって膜ろ過処理が行われ、二次電池３２に蓄電された電気が給電装置３４によって供給されて吸引ポンプ４０が駆動され、膜ろ過工程が開始される。また、二次電池３２に蓄電された電気が給電装置３４によって供給されて逆洗ポンプ２８が駆動され、逆洗工程が行われる。本構成によって、災害時等の停電時においても、十分な処理水を得ることができる。
【符号の説明】
【００４８】
１，２，３，４  膜ろ過システム、１０  被処理水槽、１２  膜ろ過装置、１４  処理水槽、１６，１８  被処理水配管、２０，２２  処理水配管、２４  逆洗水配管、２６  配管、２８  逆洗ポンプ、３０  水力発電装置、３２  二次電池、３４  給電装置、３６  浸漬槽、３８  浸漬膜。
【図１】
2020195950.tif 000003
【図２】
2020195950.tif 000004
【図３】
2020195950.tif 000005
【図４】
2020195950.tif 000006